【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
ＲＦＩＤ信号をフィルタリングする方法であって：
少なくとも１つの事前動作干渉信号を測定することと；
前記測定された少なくとも１つの事前動作干渉信号から振幅データ及び周波数データを抽出することと；
少なくとも部分的に、前記測定された少なくとも１つの事前動作干渉信号から抽出された前記振幅データ及び前記周波数データに基づいて、少なくとも１つのフィルタ依存パラメータを計算することと；
事前動作モード中に、前記計算された少なくとも１つのフィルタ依存パラメータに基づいて、少なくとも１セットのフィルタ係数を有するテーブルを生成し、記憶することと；
を含む、方法。
【請求項２】
前記少なくとも１つの事前動作干渉信号を測定することは、ＲＦＩＤシステムが配備されている場所で行われる、請求項１に記載の方法。
【請求項３】
動作モード中にコマンドをターゲットＲＦＩＤタグに送信することと、
前記動作モード中に少なくとも１つの動作干渉信号を測定することと
をさらに含み、
前記コマンドを送信すること及び前記少なくとも１つの干渉信号を測定することは略同時に行われる、請求項１に記載の方法。
【請求項４】
前記動作モード中に少なくとも１つの動作干渉信号を測定することは、干渉スペクトルを生成して、少なくとも１セットの干渉パラメータを決定することを含み、該方法は、前記決定された少なくとも１セットの干渉パラメータを使用して、フィルタ係数セットを選択することをさらに含む、請求項３に記載の方法。
【請求項５】
前記動作モード中、前記ターゲットＲＦＩＤタグから受信する入力信号を測定することと、前記選択されたフィルタ係数セットを使用するフィルタを使用して、前記測定された入力信号をフィルタリングすることとをさらに含む、請求項４に記載の方法。
【請求項６】
少なくとも１つのフィルタ依存パラメータを計算することは、少なくとも部分的に、測定される入力信号の所望の信号データレートに基づく、請求項１に記載の方法。
【請求項７】
少なくとも１つのフィルタ依存パラメータを計算することは、フィルタ次数を計算することを含む、請求項１に記載の方法。
【請求項８】
少なくとも１つのフィルタ依存パラメータを計算することは、カットオフ周波数を計算することを含む、請求項１に記載の方法。
【請求項９】
少なくとも１つのＲＦＩＤターゲットタグから受信されるＲＦＩＤ信号をフィルタリングするシステムであって：
前記少なくとも１つのＲＦＩＤタグから前記ＲＦＩＤ信号を受信する受信器と；
前記受信器と通信し、前記受信されたＲＦＩＤ信号をフィルタリングするプロセッサであって、記憶装置を含み、
少なくとも１つの事前動作干渉信号を測定すること、
前記測定された少なくとも１つの事前動作干渉信号から振幅データ及び周波数データを抽出すること、
少なくとも部分的に、前記測定された少なくとも１つの事前動作干渉信号から抽出された前記振幅データ及び前記周波数データに基づいて、少なくとも１つのフィルタ依存パラメータを計算すること、及び
事前動作モード中に、前記計算された少なくとも１つのフィルタ依存パラメータに基づいて、少なくとも１セットのフィルタ係数を有するテーブルを生成し、前記記憶装置に記憶すること
を行うように動作可能なプロセッサと；
を備える、システム。
【請求項１０】
前記少なくとも１つの事前動作干渉信号を測定することは、ＲＦＩＤシステムが配備されている場所で行われる、請求項９に記載のシステム。
【請求項１１】
前記プロセッサは、動作モード中に、
コマンドをターゲットＲＦＩＤタグに送信すること、及び
少なくとも１つの動作干渉信号を測定すること
を行うようにさらに動作し、
前記コマンドを送信すること及び前記少なくとも１つの動作干渉信号を測定することは略同時に行われる、請求項９に記載のシステム。
【請求項１２】
前記動作モード中に少なくとも１つの動作干渉信号を測定することは、干渉スペクトルを生成して、少なくとも１セットの干渉パラメータを決定することを含み、前記プロセッサはさらに、前記決定された少なくとも１セットの干渉パラメータを使用して、フィルタ係数セットを選択する、請求項１１に記載のシステム。
【請求項１３】
前記プロセッサは、前記動作モード中に、前記ターゲットＲＦＩＤタグから受信する入力信号を測定すること、前記選択されたフィルタ係数セットを使用するフィルタを使用して、前記測定された入力信号をフィルタリングすることを行うようにさらに動作する、請求項１１に記載のシステム。
【請求項１４】
前記少なくとも１つのフィルタ依存パラメータを計算することは、少なくとも部分的に、測定された入力信号の所望の信号データレートに基づく、請求項９に記載のシステム。
【請求項１５】
前記少なくとも１つのフィルタ依存パラメータを計算することは、フィルタ次数を計算することを含む、請求項９に記載のシステム。
【請求項１６】
前記少なくとも１つのフィルタ依存パラメータを計算することは、カットオフ周波数を計算することを含む、請求項９に記載のシステム。
【請求項１７】
ＲＦＩＤシステムのコンピュータ可読プログラムを有するコンピュータ使用可能媒体に記憶されたコンピュータプログラムであって、前記コンピュータ可読プログラムは、コンピュータで実行されると、前記コンピュータに：
少なくとも１つの事前動作干渉信号を測定することと；
前記測定された少なくとも１つの事前動作干渉信号から振幅データ及び周波数データを抽出することと；
少なくとも部分的に、前記測定された少なくとも１つの事前動作干渉信号から抽出された前記振幅データ及び前記周波数データに基づいて、少なくとも１つのフィルタ依存パラメータを計算することと；
事前動作モード中に、前記計算された少なくとも１つのフィルタ依存パラメータに基づいて、少なくとも１セットのフィルタ係数を有するテーブルを生成し、記憶することと；
を含む方法を実行させる、コンピュータプログラム。
【請求項１８】
動作モード中にコマンドをターゲットＲＦＩＤタグに送信することと、
前記動作モード中に少なくとも１つの動作干渉信号を測定することと
をさらに含み、
前記コマンドを送信すること及び前記少なくとも１つの動作干渉信号を測定することは略同時に行われる、請求項１７に記載のコンピュータプログラム。
【請求項１９】
前記動作モード中に少なくとも１つの動作干渉信号を測定することは、干渉スペクトルを生成して、少なくとも１セットの干渉パラメータを決定することを含み、前記方法は、前記決定された少なくとも１セットの干渉パラメータを使用して、フィルタ係数セットを選択することをさらに含む、請求項１７に記載のコンピュータプログラム。
【請求項２０】
前記動作モード中、前記ターゲットＲＦＩＤタグから受信する入力信号を測定することと、前記選択されたフィルタ係数セットを使用するフィルタを使用して、前記測定された入力信号をフィルタリングすることとをさらに含む、請求項１９に記載のコンピュータプログラム。
【手続補正２】
【補正対象書類名】明細書
【補正対象項目名】００４５
【補正方法】変更
【補正の内容】
【００４５】
ステップＳ７１６において、リーダ１０２は時間ｔ≧ｔ１において動作モードになり、チャネルＩ４０２及びＱ４０４のうちの一方が、いずれのチャネルがより大きな振幅を有するかに基づいてセレクタ４０６によって選択される。干渉信号「ｉ」が時間ｔ≧ｔ２において取得される（ステップＳ７１８）。干渉スペクトル（干渉信号ｉ（ｎ）の振幅（Ａｉ）及び基本周波数（ｆｉ））が、ステップＳ７２０において生成される。振幅（Ａｉ）及び基本周波数（ｆｉ）が使用されて、テーブル４２０に記憶されたフィルタ係数（ｈ）が選択され（ステップＳ７２２）、干渉取得がｔ＝ｔ３において停止する（ステップＳ７２４）。
【手続補正３】
【補正対象書類名】明細書
【補正対象項目名】００４６
【補正方法】変更
【補正の内容】
【００４６】
ｔ≧ｔ４において、ターゲット応答が受信される。記憶されている係数に基づくフィルタ（ｈ）が適用され（ステップＳ７２６）、出力ｙ（ｎ）が生成される。ステップＳ７２８において、略干渉のないターゲット応答がリーダ１０２によって処理され、ターゲットタグによって送信されたデータが復元される。